(57)【要約】      （修正有）【課題】ウェットティッシュを取り出しやすさを向上した収納容器を提供する。【解決手段】ウェットティッシュ２の積層体３を包装したウェットティッシュ包装体４を収納する収納容器本体と、収納容器本体の上部に設けられたウェットティッシュ取出口と、収納容器本体の底部に設けられ、ウェットティッシュ包装体４の底部４ｂの中央部を上部に設けられたウェットティッシュ取出口に向けて付勢する第１の付勢部１１と、第１の付勢部１１に付勢されたウェットティッシュ包装体４の中央部を挟んで対向する両端部４ｃ，４ｄを下方側に向けて付勢する第２の付勢部１２とを備え、第１及び第２の付勢部１１，１２は、ウェットティッシュ包装体４をウェットティッシュ２の残数に応じて反らせる。【選択図】図２
2011011805.tif 000002
【特許請求の範囲】
【請求項１】
ウェットティッシュの積層体を包装したウェットティッシュ包装体を収納する収納容器本体と、
上記収納容器本体の上部に設けられたウェットティッシュ取出口と、
上記収納容器本体の底部に設けられ、上記ウェットティッシュ包装体の底部の中央部を上部に設けられた上記ウェットティッシュ取出口側に向けて付勢する第１の付勢部と、
上記第１の付勢部に付勢されたウェットティッシュ包装体の上記中央部を挟んで対向する両端部を下方側に向けて付勢する第２の付勢部とを備え、
上記収納容器本体の内部には、上記ウェットティッシュ包装体が第１の付勢部により底部の中央部で上方側に付勢されるとともに上記第２の付勢部により両端部で下方側に付勢されることで残数に応じて反らせられて収納される収納容器。
【請求項２】
上記第１及び／又は第２の付勢部は、取付部間の長さよりも長い帯状であって撓んだ状態で取り付いている請求項１記載の収納容器。
【請求項３】
上記第１の付勢部の付勢力は、上記第２の付勢部の付勢力より大きい請求項１又は請求項２記載の収納容器。
【請求項４】
上記第２の付勢部は、上記ウェットティッシュ包装体の長手方向に対向する両端部に位置して一対に設けられ、上記両端部を下方側に向けて付勢する請求項１乃至請求項３のうちいずれか１項記載の収納容器。
【発明の詳細な説明】
【技術分野】
【０００１】
本発明は、ウェットティッシュの積層体を包装したウェットティッシュ包装体を収納する収納容器に関する。
【背景技術】
【０００２】
ウェットティッシュは、使用目的に応じて水、アルコール、保湿剤、界面活性剤等を含む液体を紙、織布、不織布等の繊維素材に含浸させたものである。かかるウェットティッシュは、順次折り畳まれた状態で多数枚積層され、この積層体が、乾燥を防止するためのフィルム状で気密性のある封入袋等に包装されたウェットティッシュ包装体の状態で製品とされて流通している。
【０００３】
ところで、このフィルム状の封入袋等は、比較的安価で且つ容易に製造できるという利点を有するが、形状を保つ特性（以下、「形態保持性」ともいう。）が乏しく、そのまま使用すると使用に応じて形が崩れ、見映えが悪いという難点がある。そこで、従来より、フィルム状の封入袋等のウェットティッシュ包装体を収納する収納容器がある。
【０００４】
例えば、ウェットティッシュの積層体を包装した包装体を内部に収納する収納容器は、ウェットティッシュの取出口と、この取出口が設けられるとともに包装体を収納する容器本体と、取出口を密閉及び開放する開閉蓋とを備える。
【０００５】
かかる収納容器を使用するに際して、開閉蓋が開かれて取出口が開放され、取出口からウェットティッシュが一枚ずつ取り出される。それ以外の場合には、開閉蓋が閉められて取出口が密閉されることで包装体自体が密閉され、残りのウェットティッシュが乾燥してしまうことを防止できる。
【０００６】
ところで、かかる収納容器は形態保持性に優れていることから、包装体からウェットティッシュが取り出されるにつれて、図１２（ａ）に示すように、包装体１０４の上面１０４ａと収納容器の容器本体１０５の取出口１０６との距離や、包装体１０４内のウェットティッシュ積層体の最上部にあるウェットティッシュと取出口１０６との距離が大きくなり、指を収納容器内に深く入れて摘み出す必要が出てくる可能性があり、このような場合に取り出し難いという問題がある。
【０００７】
そこで、図１２（ｂ）に示すように、収納容器１１１の底部１１８にスプリング部材１２０を配置し、このスプリング部材１２０により、包装体１１４を取出口１１６が設けられた天板１１７に向けて押しつけるという手法が考えられる。スプリング部材１２０を有する収納容器１１１は、スプリング部材１２０が包装体１１４を収納容器の天板１０７側に押しつけるので、ウェットティッシュの残数が少なくなったときにも残りのウェットティッシュを取出口付近に位置させることができる。
【０００８】
しかし、かかる収納容器のような、ウェットティッシュの積層体が真っ直ぐとなった状態でその全面が天板に向けて押し上げる構成とされていることから、ウェットティッシュを取り出す際のスプリングの押し付け力による摩擦が大きくなり、取り出しにくいという問題があった。かかる摩擦は、湿式であるという点と、所謂ポップアップ式として連続取り出し可能なウェットティッシュであるという点に鑑みるとさらにこの問題が大きくなり、考慮すべき利便性に影響する。そして、この摩擦は、１枚のウェットティッシュを取り出す際に次のウェットティッシュまで一緒に取り出してしまうという共連れの原因となっていた。
【０００９】
その一方で、かかる収納容器及びこれに収納されるウェットティッシュ包装体から取り出されるウェットティッシュは、例えば、乳幼児のお尻拭き、化粧落とし、掃除用の用途等として用いられる場合には、片手で取り出す場面が多い。よって、当該収納容器は、ウェットティッシュ包装体からウェットティッシュが容易に取り出せた方が使いやすく、すなわち、ウェットティッシュが取り出しやすい構成とすることが望まれる。
【先行技術文献】
【特許文献】
【００１０】
【特許文献１】特開平９−２５４７号公報
【発明の概要】
【発明が解決しようとする課題】
【００１１】
本発明の目的は、ウェットティッシュの残数が少なくなったときにも残りのウェットティッシュを取出口付近に位置させることができるとともに、さらにウェットティッシュを取り出しやすい収納容器を提供することにある。
【課題を解決するための手段】
【００１２】
この目的を達成するため、本発明に係る収納容器は、ウェットティッシュの積層体を包装したウェットティッシュ包装体を収納する収納容器本体と、上記収納容器本体の上部に設けられたウェットティッシュ取出口と、上記収納容器本体の底部に設けられ、上記ウェットティッシュ包装体の底部の中央部を上部に設けられた上記ウェットティッシュ取出口側に向けて付勢する第１の付勢部と、上記第１の付勢部に付勢されたウェットティッシュ包装体の上記中央部を挟んで対向する両端部を下方側に向けて付勢する第２の付勢部とを備える。かかる収納容器本体の内部には、上記ウェットティッシュ包装体が第１の付勢部により底部の中央部で上方側に付勢されるとともに上記第２の付勢部により両端部で下方側に付勢されることで残数に応じて反らせられて収納される。
【発明の効果】
【００１３】
本発明は、ウェットティッシュを取り出しやすい位置に位置させるのみならず、第１の付勢部及び第２の付勢部により、ウェットティッシュがその中央部分が凸状となるように反った姿勢とすることができ、これにより、ウェットティッシュを取り出す際の摩擦を低減して、残り枚数によらず常に取り出しやすい状態とすることができる。
【図面の簡単な説明】
【００１４】
【図１】本発明を適用した収納容器の外観を示す斜視図である。
【図２】本発明を適用した収納容器の分解斜視図である。
【図３】収納容器の底部と、底部内面に取り付けられる第１の付勢部とを示す斜視図である。
【図４】収納容器の収納容器本体の内面と、天板部内面に取り付けられる第２の付勢部とを示す斜視図である。
【図５】収納容器を構成する第１及び第２の付勢部の取付状態を説明するための斜視図である。
【図６】収納容器を構成する取出口及び第１の付勢部と、ウェットティッシュの包装体の取出口との関係を示す平面図である。
【図７】収納容器を構成する第１及び第２の付勢部の機能を説明するため、第１の付勢部を例にとり、その状況に応じた形状の変化を示す図である。（ａ）は、第１の付勢部に外力が加わっていない状態を模式的に示す図である。（ｂ）は、ウェットティッシュの残数が多いときの第１の付勢部の状態を模式的に示す図である。（ｃ）は、ウェットティッシュの残数が少ないときの第１の付勢部の状態を模式的に示す図である。
【図８】第１及び第２の付勢部によりウェットティッシュの残数に応じて反らせられるウェットティッシュ及びウェットティッシュ包装体の状況に応じた形状の変化を示す図である。（ａ）は、ウェットティッシュの残数が多いときの反り状態を模式的に示す図である。（ｂ）は、ウェットティッシュの残数が少ないときの反り状態を模式的に示す図である。
【図９】第１及び第２の付勢部の配置状態を平面的に示す図である。（ａ）は、図３〜図８で説明した例の第１及び第２の付勢部の配置状態を模式的に示す平面図である。（ｂ）は、第１及び第２の付勢部の他の例における配置状態を模式的に示す平面図である。
【図１０】収納容器を構成する第１及び第２の付勢部の更に他の例を模式的に示す断面図である。
【図１１】収納容器を構成する第２の付勢部の更に他の例を模式的に示す断面図である。
【図１２】従来の収納容器について示す図であり、（ａ）は、最も基本的な形態保持性のみ有する収納容器を模式的に示す図であり、（ｂ）は、天板に包装体を押しつけるスプリング部材を有する収納容器を模式的に示す図である。
【発明を実施するための形態】
【００１５】
以下、本発明を適用した収納容器について、図面を参照して詳細に説明する。
【００１６】
本発明が適用された収納容器１は、図１及び図２に示すように、ウェットティッシュ２の積層体３を包装したウェットティッシュ包装体（以下、「包装体」という。）４を収納する収納容器本体５を備える。この収納容器本体５の上部にはウェットティッシュ取出口（以下、「取出口」という。）６として機能する開口が設けられている。また、収納容器本体５は、底面側が開口された収納容器本体部７と、この収納容器本体部７の底面側の開口部分を閉塞する底面閉塞部８とを備える。
【００１７】
また、収納容器１は、取出口６が設けられた部分を開放及び閉塞する開閉蓋９と、閉塞した開閉蓋９を開放するための操作部１０とを備える。
【００１８】
さらに、収納容器１は、図２、図３及び図４に示すように、収納容器本体５の底部５ａの内面側に設けられる第１の付勢部１１と、収納容器本体５の天板部５ｂの内面側に設けられる第２の付勢部１２とを備える。後述のように、第１の付勢部１１は、包装体４の底部４ｂの中央部を上部に設けられた取出口６側に向けて付勢する機能を有し、第２の付勢部１２は、第１の付勢部１１に付勢された包装体４の中央部を挟んで対向する両端部４ｃ，４ｄを下方側に向けて付勢する機能を有する。
【００１９】
収納容器本体５の上側を構成する収納容器本体部７は、包装体４より一回り大きな略矩形状とされ、取出口６が設けられる上板１３と、上板１３の各辺から下方へ延設した側板１４とを有し、底面側の開口７ａと取出口６以外の部分は密閉した構造とされる。また、この収納容器本体部７は、剛性を有し形態保持性に優れたものであり、例えばプラスチックにより成形されている。収納容器本体部７の上板１３は、上述した収納容器本体５の天板部５ｂを構成し、その内面側であって長辺方向の両端側の部分に第２の付勢部１２が設けられる。
【００２０】
収納容器本体部７の上板１３には、開閉蓋９を閉塞する際にはめ込むための、第１の段部１５を有して形成される第１の凹部１６と、第１の凹部１６からさらに第２の段部１７を有して形成される第２の凹部１８とが設けられる。また、第１の凹部１６には、第２の凹部１８の他に、短辺方向の一方側の端部に位置する開閉蓋９の取り付け用の第３の凹部１９と、短辺方向に他方側の端部に位置する操作部１０の取り付け用の第４の凹部２０とが設けられる。
【００２１】
また、上板１３に設けられた第２の凹部１８には、第２の凹部１８における収納容器１の長辺方向の両端からその中央部の開口に向かって延びるように形成された弾性を有する第１乃至第４のフラップ２１，２２，２３，２４が設けられている。第１乃至第４のフラップ２１〜２４は、第２の凹部１８の中央側に位置する先端部が上下方向に変位するように、第１乃至第４のフラップ自体が撓むこととなる。第１乃至第４のフラップ２１〜２４の先端に囲まれた開口部分は、収納容器１内に収納されたウェットティッシュを取り出すための取出口６を構成する。
【００２２】
かかる取出口６は、第１乃至第４のフラップ２１〜２４により、ポップアップ式に積層されたウェットティッシュの誘出に寄与する。すなわち、取出口６は、連続取り出し可能なようにポップアップ式に積層されたウェットティッシュの一番表層の１枚を取り出すと、その一枚に引き連れられた次の１枚の一部を取出口６から摘みやすい量だけ飛び出させた状態で表層の１枚から離間させるだけの抵抗力を付与する。これにより、取出口６は、ウェットティッシュの連続取り出しを可能とする。また、取出口６は、図６に示すように、包装体４に設けられるウェットティッシュの取出口４ａよりも小さく形成されている。かかる構成により、ウェットティッシュ２に適切な抵抗力を付与して上述の様な連続取り出しを可能とする。また、後述の第１の付勢部１１は、取出口６に対応した位置で、すなわちこの取出口６の下方に位置する部分で、包装体４の底部４ｂを付勢する構成とされている。尚、図６では、取出口６は、ウェットティッシュ２の積層体３の短辺方向にも長辺方向にも小さく形成されている例について説明したが、共連れを防止できる構成であれば、少なくとも長辺方向に小さく形成されているか、面積が小さくなるように形成されていればよい。
【００２３】
第２の凹部１８と第２の段部１７は、開閉蓋９の閉塞時に、開閉蓋９に設けられた係合壁部２５と係合して収納容器本体５内部を密閉する機能を有する。すなわち、開閉蓋９の内面側には、第２の凹部１８を形成する第２の段部１７に係合する係合壁部２５が立ち上がり形成されている。また、この係合壁部２５には、壁部の外方に向かって開閉蓋９のロック機能を有する突起部２６が設けられる。
【００２４】
また、係合壁部２５が設けられる開閉蓋９には、短辺方向の一方の側に回動軸２７が設けられ、他方の側に閉塞した際に操作部１０に衝突しないように切り欠き部２８が設けられている。開閉蓋９の回動軸２７は、収納容器本体部７の第２の凹部１８の短辺方向の一方の側に設けられた第３の凹部１９内に取り付けられる。すなわち、第３の凹部１９には回動軸２７を取り付けるための取付部があり、その取付部に回動軸２７の両端部が回転自在にはめ込まれる。開閉蓋９は、回動軸２７を中心に回動操作されることで開放状態や閉塞状態とされる。
【００２５】
また、開閉蓋９と第３の凹部１９には、バネ部材２９が設けられている。このバネ部材２９は、その両端部がそれぞれ開閉蓋９と第３の凹部１９とに当接し、それぞれを開く方向に付勢する構成とされている。また、第３の凹部１９には、開閉蓋９の回動位置を規制する規制部３０が形成されている。規制部３０は、開閉蓋９が開放される状態のときに、バネ部材２９により外側に向けて付勢される開閉蓋９の開放位置を所定位置に規制するものであり、所定位置まで回動された開閉蓋９の一部と当接する壁部として形成される。
【００２６】
また、上板１３に設けられた第２の凹部１８を構成する側壁部分には、開閉蓋９の係合壁部２５に設けられた突起部２６に対応するロック機能を有する係合部３１が設けられている。この係合部３１は、第２の凹部１８を構成する側壁部分に凹状部又は貫通孔を形成することにより形成される。これにより、係合部３１及び突起部２６は、開閉蓋９の閉塞状態を維持するためのロック機構として機能する。すなわち、開閉蓋９は、閉塞された状態で、突起部２６が上板１３の係合部３１に係合することで、バネ部材２９の開放方向への付勢力に抗して閉塞状態が維持される。
【００２７】
この開閉蓋９を閉塞状態から開放状態にするための操作部１０は、第４の凹部２０に設けられている。操作部１０は、支持軸を有し、支持軸を中心に回動自在で且つ、水平方向にスライド自在に取付られている。操作部１０は、スライド方向の奥側の位置では回動しないように構成されるとともに、スライド方向の手前側にスライドされた位置ではその手前側部分１０ａを下側で、奥側部分１０ｂを上側に回動自在とされている。換言すると、操作部１０は、ロック機能を有し、奥側の位置では回動が規制されることで、後述のように開閉蓋９を開放しない。開閉蓋９を開放するに際して、操作部１０は、ユーザーにより手前側にスライドされるとともに、手前側部分１０ａを下側に押圧される。当該操作部１０は、奥側部分１０ｂを上側に操作し、奥側部分１０ｂに当接した開閉蓋９を上側に操作しようとする。上側に操作された開閉蓋９は、自身の撓みにより突起部２６を上板１３の係合部３１から離間させて係合状態を解く。係合状態が解かれた開閉蓋９は、バネ部材２９の付勢力により開放方向に回動される。以上のように、開閉蓋９は、操作部１０のスライド動作及び押圧動作で開放可能とされている。
【００２８】
以上のような収納容器本体部７とともに収納容器本体５を構成する底面閉塞部８には、収納容器本体部７の下方端部を挿入しこれらを結合するための周縁溝部３２が設けられている。底面閉塞部８は、周縁溝部３２に収納容器本体部７の下方端部が挿入されることにより、収納容器本体部７の開口７ａを密閉する。また、底面閉塞部８は、ウェットティッシュ包装体４内のウェットティッシュが全て取り出された後に、新たなウェットティッシュ包装体４を挿入する際に開放され、挿入後に閉塞される。
【００２９】
ところで、上述した収納容器１に収納される包装体４は、フィルム状の密閉袋の中に例えば８０〜１５０枚程度の複数のウェットティッシュ２が折り畳まれて積層配置されて構成される。例えば、各ウェットティッシュ２は、折り曲げ部を形成して略二つ折りされ、各ウェットティッシュ２の折曲部は交互に入れ替わっている。またウェットティッシュ２の下半分はさらに折り曲げ部を形成して略二つ折りされている。ウェットティッシュ２の二つ折りされた下半分は、下方に配置するウェットティッシュ２の上半分と更に下方に位置するウェットティッシュ２の上半分との間に挿入されている。このためのウェットティッシュ２を一枚ずつ摘んで取り出した場合、取り出したウェットティッシュ２の下半分が、下方に位置するウェットティッシュ２の上半分を引っ張り上げるようになっている。包装体４内に積層されるウェットティッシュ２は、連続取り出しが可能なように、所謂ポップアップ式に積層されていればよく、その折り方はここで説明したものに限定されない。また、包装体４自体にもウェットティッシュの取出口４ａが設けられ、この取出口４ａが収納容器１の取出口６に臨む状態で包装体４は、収納容器１内に収納される。
【００３０】
以上のような収納容器１において、取出口６は、開閉自在に形成された開閉蓋９により密閉されたり開放されたりする。すなわち、かかる収納容器１において、使用時であるウェットティッシュ取り出し時には、上述した操作部１０により開閉蓋９が開放される。そして、取出口６から前回の使用で誘出されているウェットティッシュ２がユーザーにより摘まれて取り出される。この際、取出口６の第１及び第４のフラップ２１〜２４により、取り出されたウェットティッシュ２により誘出される次のウェットティッシュ２に抵抗力を付与して次の取り出し時に摘むのに適した所定の量だけ取出口６から飛び出させることとなる。かかる収納容器１は、使用が終えられると、開閉蓋９を閉塞方向に回動させることで、係合部３１及び突起部２６のロック機能が働くとともに、第１の凹部１６に嵌るように開閉蓋９が閉塞される。このとき、収納容器１は、開閉蓋９の係合壁部２５が上板１３の第２の凹部１８に係合することで取出口６部分を密閉し、収納容器１内部に残る湿式シートであるウェットティッシュ２の乾燥を防止する。
【００３１】
次に、収納容器１を構成する第１及び第２の付勢部１１，１２の構成及び機能について説明する。以下では、収納容器本体５と別体で形成された第１及び第２の付勢部を取り付けて構成する例について説明するが、例えば一体成型等により第１及び第２の付勢部が収納容器本体と一体に設けられるよう構成してもよい。
【００３２】
図２〜図５に示すように、第１の付勢部１１は、取付部間の長さよりも長い帯状の部材からなり曲げられて撓んだ状態で底面閉塞部８の内面側に取り付いている。また、ここで、第１の付勢部１１は、包装体３の短辺方向に平行な中心線に沿って配置されている。かかる第１の付勢部１１は、例えば金属やプラスチック等の弾性を有する帯状の部材からなり、その両端部には、取り付け用の突起部３３が形成されている。一方、底面閉塞部８の内面側には、この突起部３３に対応した一対の取付部３４が設けられている。具体的に、第１の付勢部１１は、その一端側の突起部３３が取り付けられる一方側の取付部３４と、その他端側の突起部３３が取り付けられる他方側の取付部３４との間の距離よりも長い部材からなる。そして、取付部３４間の距離よりも長く形成されていることにより、第１の付勢部１１は、撓んだ状態で取り付けられている。また、上述の取付部３４は、第１の付勢部１１の取付方向の内側に位置して第１の付勢部１１の突起部３３を取り付けるためのスリット３４ａが形成されており、当該スリット３４ａを通過して突起部３３が取付部３４内に挿入されることとなる。第１の付勢部１１は、取付部より長く形成されているので、その端部が互いに離間する方向に力が働く。よって、かかるスリット３４ａを有する取付部３４は、第１の付勢部１１を取り付けやすく、且つ、第１の付勢部１１が機能している際には外れにくい構成である。そして、第１の付勢部１１は、取付部３４に取り付けられる両端部の間の部分が包装体４の底部４ｂに当接して包装体４を上部側に付勢する。尚、取付部３４に取り付けられる両端部の間の部分（以下、「変形部３５」ともいう。）は、撓んで変形されることにより、部材の弾性力により基準となる状態に戻ろうとする復帰力により付勢機能を有する。
【００３３】
そして、第１の付勢部１１は、図７（ａ）に示すように、外力が加わらない基準状態では、中央部分が最も上部側に位置するように凸状とされて取り付けられている。後の比較のため、図７（ａ）の状態の付勢方向である上下方向の寸法をＬＦ０とする。
【００３４】
ここで、第１の付勢部１１は、底部側に向けて外力が加わった際には、基準状態に比べて当接する部分３５ａが底部側に位置するように変形部３５が変形する。この図７（ｂ）における、第１の付勢部１１の上下方向の寸法をＬＦ１とする。第１の付勢部１１は、基準状態の寸法ＬＦ０より上下方向の寸法ＬＦ１が小さく（ＬＦ１＜ＬＦ０）なることで、その撓んだ量に応じた付勢力を発揮して包装体４を付勢する。また、この図７（ｂ）は、次で説明する図７（ｃ）と比べて、ウェットティッシュ２の残数が多い状態の包装体４Ｚ１が収納されている状態であるとして説明する。第１の付勢部１１は，包装体４Ｚ１の残数に応じた厚みＬＷ１に対応した寸法ＬＦ１となるように変形する。
【００３５】
かかる図７（ｂ）の状態からウェットティッシュ２を取り出すことにより徐々にウェットティッシュ２の残数が少なくなった状態の包装体４Ｚ２を示すのが図７（ｃ）である。図７（ｃ）に示すように、ウェットティッシュ２が少なくなり厚みＬＷ２がＬＷ１に対して薄くなるにつれて、第１の付勢部１１の寸法ＬＦ２がＬＦ１に対して大きく（ＬＦ１＜ＬＦ２）なるように変形する。すなわち、第１の付勢部１１は、上述したような復帰力を有することにより、包装体４を収納容器１の取出口６近傍の取り出しやすい位置に位置させることができる。ここで、取出口６近傍とは、後述の図８で示すように第２の付勢部１２の弾性力及び復帰力により決まる位置である。かかる図７（ｃ）の状態においても、第１の付勢部１１は、基本状態の寸法ＬＦ０より上下方向の寸法ＬＦ２が小さく（ＬＦ２＜ＬＦ０）なっていることで、その撓んだ量に応じた付勢力を発揮して包装体４を付勢する。
【００３６】
また、後述の第２の付勢部１２を設けないと仮定すると、第１の付勢部１１及び包装体４の合計寸法は、図７（ｂ）ではＬＴ１（＝ＬＦ１＋ＬＷ１）であり、図７（ｃ）ではＬＴ２（＝ＬＦ２＋ＬＷ２）である。そして、かかる仮定の場合にはＬＴ１＝ＬＴ２になるが、実際には図８に示すように第２の付勢部１２自体も第１の付勢部１１と同様に光軸方向の寸法が変化するとともに包装体４も姿勢が変化することとなる。
【００３７】
また、第２の付勢部１２は、ウェットティッシュ包装体４の中央部を挟んで長辺方向に対向する両端部４ｃ，４ｄに対応する位置に一対に設けられている。かかる第２の付勢部１２は、第１の付勢部１１と同様に、取付部間の長さよりも長い帯状の部材からなり曲げられて撓んだ状態で収納容器本体部７の上板１３の内面側に取り付いている。かかる第２の付勢部１２は、例えば金属やプラスチック等の弾性を有する帯状の部材からなり、その両端部には、取り付け用の突起部３３が形成されている。一方、収納容器本体部７の内面側には、この突起部３３に対応した一対の取付部３４が設けられている。具体的に、第２の付勢部１２は、その一端側の突起部３３が取り付けられる一方側の取付部３４と、その他端側の突起部３３が取り付けられる他方側の取付部３４との間の距離よりも長い部材からなる。そして、第２の付勢部１２は、一対のそれぞれが、取付部３４に取り付けられる両端部の間の部分が包装体４の上面部で且つ長辺方向の一端部４ｃ又は他端部４ｄに当接して包装体４を下部側に付勢することで、包装体４の位置や反り等の姿勢を規制する。尚、第２の付勢部１２も、上述した第１の付勢部１１と同様に、取付部３４間の変形部３５が変形されることにより、部材の弾性力により基準となる状態に戻ろうとする復帰力により付勢機能を有する。第２の付勢部１２単体の付勢機能としては、図７を用いて説明した第１の付勢部１１と同様であるので詳細は省略する。
【００３８】
次に、第１及び第２の付勢部１１，１２により収納容器１を構成した場合の、各付勢部によるウェットティッシュを反らせる機能について図８を用いて説明する。
【００３９】
図８（ａ）は、図７（ｂ）に略対応する図であり、ウェットティッシュ２の残数が多い状態の包装体４Ｚ１が収納されている場合の第１及び第２の付勢部１１，１２及びウェットティッシュの姿勢を示す。図８（ｂ）は、図７（ｃ）に略対応する図であり、ウェットティッシュ２の残数が少ない状態の包装体４Ｚ２が収納されている場合の第１及び第２の付勢部１１，１２及びウェットティッシュの姿勢を示す。
【００４０】
図８（ａ）及び図８（ｂ）に示すように、第１の付勢部１１は、包装体４の底部４ｂの中央部を上方側に向けて付勢している。また、第２の付勢部１２は、包装体４の両端部４ｃ，４ｄを下方側に向けて付勢する。これにより、第１及び第２の付勢部１１，１２は、包装体４内のウェットティッシュ２の残数に応じて包装体４等を反らせる。また、第１の付勢部１１の付勢力は、第２の付勢部１２の付勢力よりも大きくされており、かかる構成により、包装体４はウェットティッシュ２が取り出しやすい上方側の位置に位置されるとともに適正な反り姿勢とされることとなる。換言すると、第２の付勢部１２の付勢力の方が第１の付勢部１１の付勢力より大きい場合にはウェットティッシュ２が下方側に沈んだ位置になってしまい、かかる状態を防止するために、少なくとも付勢力が同じか、第１の付勢部１１の付勢力が大きくされている。
【００４１】
また、第１及び第２の付勢部１１，１２は、ウェットティッシュ２の残数に応じて包装体４の剛性が変化するが、ウェットティッシュ２の残数に応じて適切な付勢力でウェットティッシュ２を付勢する。この点とともに、図８（ａ）及び図８（ｂ）の各状態について以下に説明する。
【００４２】
ウェットティッシュ２の残数が多く包装体４Ｚ１の厚みＬＷ１が厚い場合には、図８（ａ）に示すように、第１の付勢部１１の上下方向の寸法ＬＦ１も、第２の付勢部の上下方向の寸法ＬＣ１も、後述する図８（ｂ）に比較して小さい状態である。換言すると、図７（ｂ）を用いて説明したように、帯状の弾性部材の変形状態が大きい状態である。
【００４３】
一方、ウェットティッシュ２の残数が少なく包装体４Ｚ２の厚みＬＷ２がＬＷ１と比較して薄い場合には、図８（ｂ）に示すように、第１の付勢部１１の上下方向の寸法ＬＦ２もＬＦ１と比較して大きく、第２の付勢部の上下方向の寸法ＬＣ２もＬＣ１と比較して大きい状態である。換言すると、図７（ｃ）を用いて説明したように、帯状の弾性部材の変形状態が小さい状態である。
【００４４】
ここで、図８等では、あくまで第１及び第２の付勢部１１，１２の機能を説明するため模式的に示しているが、実際は、包装体４を取出口６に近い位置に位置させるという第１の付勢部１１の付勢力が強くなるようにされており、第１及び第２の付勢部１１，１２は、包装体４をそのウェットティッシュ２の残数によらず、取出口６近傍に位置させることが可能である。
【００４５】
ところで、図８（ａ）に示すように包装体４Ｚ１の厚みＬＷ１が厚い場合には、その剛性が強い。かかる場合には上述のような変形状態が大きくされた第１及び第２の付勢部１１，１２により、所定の姿勢となるように反らせることができる。また、図８（ｂ）に示すように包装体４Ｚ２の厚みＬＷ２が薄い場合には、その剛性が弱い。かかる場合には上述のような変形状態が小さくされた第１及び第２の付勢部１１，１２により、所定の姿勢となるように反らせることができる。以上のように、第１及び第２の付勢部１１，１２は、各付勢部の付勢力と、ウェットティッシュ２の残数に応じて、所定の姿勢となるようにウェットティッシュ２及び包装体４を反らせることができる。湿式で且つポップアップ式とされたウェットティッシュ２の積層体３を包装した包装体４は、摩擦が大きくされているが、かかるウェットティッシュ２及び包装体４を図８に示すように反らせた姿勢とすることで摩擦が軽減され、取り出しやすくできる。
【００４６】
すなわち、収納容器１は、第１及び第２の付勢部１１，１２により、反り状態を適切な範囲とすることが可能であり、これにより、ポップアップ式や湿式による摩擦力を低減し、ウェットティッシュ２を取り出しやすくすることを実現する。このように、第１の付勢部１１は、ウェットティッシュ２を取出口６近傍に位置させるため上部側に付勢する機能を有し、第２の付勢部１２は、ウェットティッシュ２の反り状態を調整する機能を有している。第１及び第２の付勢部１１，１２は、その弾性力を発揮させる形状とすることで、所定の反り状態にすることを可能とする。
【００４７】
以上のように、本発明を適用した収納容器１は、収納容器本体５と、ウェットティッシュ取出口６と、第１及び第２の付勢部１１，１２を備えることにより、ウェットティッシュ２及び包装体４を取り出しやすい位置に位置させるのみならず、ウェットティッシュ２がその中央部分が凸状となるように反った姿勢とすることができ、これにより、ウェットティッシュを取り出す際の摩擦を低減して、残り枚数によらず常に取り出しやすい状態とすることを実現する。特に、収納容器１は、共連れの可能性が高いポップアップ式のウェットティッシュ２の取り出しやすさを向上するとともに、共連れを防止する。そして、収納容器１は、例えば、片手での操作及び取り出しを可能とする。
【００４８】
また、収納容器１は、第２の付勢部１２が包装体４の長手方向の両端部４ｃ，４ｄに対応する位置に一対に設けられることにより、包装体４を長手方向に曲げることができる。包装体４内に包装されるウェットティッシュ２は、一般的にその長辺部分により折り曲げられ交互に積層されている。かかる包装体４は、長手方向に曲げられることにより、よりウェットティッシュ２の取り出しやすさが向上する。よって、収納容器１は、第２の付勢部１２を長手方向に対向する両端部４ｃ，４ｄに位置して一体に設けられることにより、ウェットティッシュを取り出す際の摩擦を低減して、常に取り出しやすい状態とすることを実現する。
【００４９】
また、収納容器１は、第１及び第２の付勢部１１，１２が複数の弾性片である第１乃至第４のフラップ２１〜２４の先端に囲まれて形成される開口部により構成されるウェットティッシュ２の取出口６とともに構成されることにより、取出口６付近では適切な抵抗力を付与して円滑な連続取り出しを実現すると共に、第１及び第２の付勢部１１，１２により反らされた包装体４内部では、摩擦を低減して共連れ防止を実現できる。すなわち収納容器１は、かかる一見相反する両効果を得ることができ、収納容器の利便性を向上させる。
【００５０】
また、収納容器１は、かかる取出口６が、包装体４の取出口４ａよりも小さく形成されるとともに、第１の付勢部１１がかかる取出口６の下方側の位置で包装体４の底部４ｂを上方側に向けて付勢する構成により、かかる位置で包装体４が取出口６に向けて第１の付勢部１１に付勢され取出口６がかかる大きさとされることで、取出口６付近でウェットティッシュ２に適切な抵抗力を付与して円滑な連続取り出しを実現する。さらに、収納容器１は、第１及び第２の付勢部１１，１２により反らされた包装体４内部では、摩擦を低減して共連れ防止を実現できる。すなわち収納容器１は、収納容器の利便性を向上させる。
【００５１】
尚、上述で説明した収納容器１は、かかる取出口６部分に弾性を有する第１乃至第４のフラップ２１〜２４を設けるように構成したが、本発明は、これに限られず、例えば、弾性片を有しない開口部により取出口を構成するようにしてもよい。また、収納容器１の形状は、上述の説明及び図面に限定されるものではなく、例えば、平面の形状について正方形を含めた多角形や円形やこれらを曲線により組み合わせたような形状であってもよく、また側面についても、台形や矩形や円形やこれらを曲線により組み合わせたような形状であってもよい。
【００５２】
また、かかる第１及び第２の付勢部１１，１２は、極めて簡易な構成としてその機能を発揮させることを可能とし、収納容器１の構成を簡素化するとともに、製造の容易化及び低コスト化をも実現するものである。このように、本発明は、簡易な構成で取り出しやすさを各段に向上させ、ウェットティッシュの収納容器１として極めて高い性能を発揮することができる。
【００５３】
尚、上述で図２〜図８を用いて説明した第１の付勢部１１及び一対の第２の付勢部１２は、図９（ａ）にも示すように、その帯状の部材が収納容器１の短辺方向に平行な方向に形成されるように構成したが、これに限られるものではない。すなわち、本発明を適用した収納容器を構成する第１の付勢部は、例えば、図９（ｂ）に示すように収納容器１の長辺方向に平行な中心線に沿って配置されていてもよい。
【００５４】
すなわち、収納容器１は、上述した第１の付勢部１１に換えて、図９（ｂ）に示すように長辺方向に配置される第１の付勢部４１を備えても良い。かかる第１の付勢部４１は、上述した第１の付勢部１１と同様に、取付部間の長さよりも長い帯状の部材からなり曲げられて撓んだ状態で底面閉塞部８の内面側に取り付いている。尚、第１の付勢部４１の材料や取付形状や付勢機能については上述した第１の付勢部１１と同様であるので、詳細は省略する。
【００５５】
第１の付勢部４１を有する収納容器１は、第１の付勢部１１を用いる場合と同様に、ウェットティッシュ２を取り出しやすい位置に位置させるのみならず、ウェットティッシュ２及び包装体４がその中央部分が凸状となるように反った姿勢とすることができ、これにより、ウェットティッシュ２を取り出す際の摩擦を低減して、残り枚数によらず常に取り出しやすい状態とすることができる。さらに、第１の付勢部４１は、変形された際にかかる帯状の第１の付勢部４１に沿った形状に包装体４を反らせることができる。
【００５６】
また、図９（ａ）で説明した第１の付勢部１１を有する収納容器１は、ここで図９（ｂ）を用いて説明した第１の付勢部４１を有する場合に比べて、部材も小さくすることができ、より低コスト化を実現する。
【００５７】
また、以上で説明した第１及び第２の付勢部１１，１２，４１は、帯状の部材からなるものとして説明したが、本発明を適用した収納容器を構成する第１及び／又は第２の付勢部は、これに限られるものではなく、例えば、図１０に示すようなバネ部材等であってもよい。
【００５８】
すなわち、収納容器１は、上述した第１及び第２の付勢部１１，１２に換えて、図１０に示すようなバネ部材からなる第１及び第２の付勢部５１，５２を備えても良い。具体的に、かかる第１の付勢部５１は、収納容器本体５の底部５ａに設けられ、包装体４の底部４ｂの中央部を上方側に向けて付勢する。また、第２の付勢部５２は、収納容器本体５の天板部５ｂの内面側に設けられ、包装体４の長辺方向の両端部４ｃ，４ｄを下方側に向けて付勢する。かかる、第１及び第２の付勢部５１，５２は、上述した第１及び第２の付勢部１１，１２と同様に、包装体４をウェットティッシュ２の残数に応じて反らせることができる。
【００５９】
図１０に示す第１及び第２の付勢部５１，５２を有する収納容器１は、ウェットティッシュ２を取り出しやすい位置に位置させるのみならず、ウェットティッシュ２及び包装体４がその中央部分が凸状となるように反った姿勢とすることができ、これにより、ウェットティッシュ２を取り出す際の摩擦を低減して、残り枚数によらず常に取り出しやすい状態とすることができる。
【００６０】
さらに、本発明を適用した収納容器を構成する第２の付勢部は、上述のような収納容器本体５の天板部５ｂに設けられるものに限られるものではなく、例えば、図１１に示すような側板１４の内面側から設けられるように構成しても良い。
【００６１】
すなわち、収納容器１は、図１０で説明した第２の付勢部５２に換えて、図１１に示すような収納容器本体５の内面側壁部５ｃから設けられた第２の付勢部６２を備えても良い。具体的に、図１１に示す第２の付勢部６２は、例えば収納容器本体５の内面側壁部５ｃに一体成型された係合片である。かかる第２の付勢部６２は、弾性を有し、第１の付勢部５１により上方に付勢された包装体４の上面の両端部４ｃ，４ｄに係合されて変形する。弾性変形した第２の付勢部６２は、元の形状に戻ろうとする力により包装体４の両端部４ｃ，４ｄを下方側に付勢する。かかる、第２の付勢部６２は、第１の付勢部５１とともに、上述した第１及び第２の付勢部１１，１２や第１及び第２の付勢部５１，５２と同様に、包装体４をウェットティッシュ２の残数に応じて反らせることができる。尚、ここでは、係合片からなる第２の付勢部６２を包装容器本体に一体成型するものとして説明したが、別体で形成し、接着等により固定するように構成しても良い。
【００６２】
図１１に示す第１及び第２の付勢部５１，６２を有する収納容器１は、ウェットティッシュ２を取り出しやすい位置に位置させるのみならず、ウェットティッシュ２及び包装体４がその中央部分が凸状となるように反った姿勢とすることができ、これにより、ウェットティッシュ２を取り出す際の摩擦を低減して、残り枚数によらず常に取り出しやすい状態とすることができる。
【符号の説明】
【００６３】
１  収納容器、２  ウェットティッシュ、３  積層体、４  包装体、５  収納容器本体、５ａ  底部、５ｂ  天板部、６  取出口、７  収納容器本体部、８  底面閉塞部、９  開閉蓋、１０  操作部、１１  第１の付勢部、１２  第２の付勢部、１３  上板、１４  側板、１５  第１の段部、１６  第１の凹部、１７  第２の段部、１８  第２の凹部、１９  第３の凹部、２０  第４の凹部、２１  第１のフラップ、２２  第２のフラップ、２３  第３のフラップ、２４  第４のフラップ、２５  係合壁部、２６  突起部、２７  回動軸、２８  切り欠き部、２９  バネ部材、３０  規制部、３１  係合部、３２  周縁溝部、３３  突起部、  ３４  取付部、３５  変形部
【図１】
2011011805.tif 000003
【図２】
2011011805.tif 000004
【図３】
2011011805.tif 000005
【図４】
2011011805.tif 000006
【図５】
2011011805.tif 000007
【図６】
2011011805.tif 000008
【図７】
2011011805.tif 000009
【図８】
2011011805.tif 000010
【図９】
2011011805.tif 000011
【図１０】
2011011805.tif 000012
【図１１】
2011011805.tif 000013
【図１２】
2011011805.tif 000014